(57)【要約】【課題】ケース内の角部にドレンポンプなどの構成部品が設置される天井設置型室内機において、室内の空気が逆流して吹出流路の延出流路に流れ込むのを抑制する。【解決手段】天井設置型室内機１において、案内流路８０の長手方向の長さは、吹出流路５０の長手方向の長さよりも小さく、吹出流路５０は、案内流路８０の直下に位置する主流路６０と、案内流路８０よりも長手方向の外側に主流路６０から延出した延出流路７０と、を含み、整流手段４は、吹出口５１に向かって下方に流れる空気の一部を延出流路７０に案内する湾曲部４２を含む。【選択図】図６
2014129929.tif 000002
【特許請求の範囲】
【請求項１】
水平方向に長い吹出流路（５０）を形成し、下部に吹出口（５１）を有する吹出部（５）と、
前記吹出流路（５０）に空気を案内するために前記吹出流路（５０）の上方において前記吹出流路（５０）の長手方向に沿った案内流路（８０）を形成し、前記案内流路（８０）の前記長手方向の長さが前記吹出流路（５０）の前記長手方向の長さよりも小さい案内部（８）と、
整流手段（４）と、を備え、
前記吹出流路（５０）は、前記案内流路（８０）の直下に位置する主流路（６０）と、前記案内流路（８０）よりも前記長手方向の外側に前記主流路（６０）から延出した延出流路（７０）と、を含み、
前記整流手段（４）は、前記吹出口（５１）に向かって下方に流れる空気の一部を前記延出流路（７０）に案内する湾曲部（４２）を含む天井設置型室内機。
【請求項２】
前記整流手段（４）は、前記湾曲部（４２）によって案内された空気を前記延出流路（７０）の延出方向端部側に案内する平板部（４１）をさらに含む、請求項１に記載の天井設置型室内機。
【請求項３】
前記吹出部（５）は、前記延出流路（７０）の側部を区画する側壁面（５ｂ，５ｃ）を有し、
前記吹出部（５）の前記側壁面（５ｂ，５ｃ）と前記平板部（４１）との間には、前記延出流路（７０）に案内された空気を下方に流す隙間（Ｇ１，Ｇ２）が設けられている、請求項２に記載の天井設置型室内機。
【請求項４】
前記平板部（４１）は、前記延出流路（７０）に案内された空気を下方に流す貫通孔（４１Ｈ）を有する、請求項２又は３に記載の天井設置型室内機。
【請求項５】
前記平板部（４１）と前記湾曲部（４２）は一体に形成されている、請求項２〜４の何れか１項に記載の天井設置型室内機。
【請求項６】
前記平板部（４１）と前記湾曲部（４２）は互いに別体の部材によって構成されている、請求項２〜４の何れか１項に記載の天井設置型室内機。
【請求項７】
前記吹出部（５）は、前記延出流路（７０）の上部を区画する上壁面（７ａ）を有し、
前記案内部（８）は、前記案内流路（８）における前記延出流路（７）側の側部を区画する側壁面（８ａ）を有し、
前記上壁面（７ａ）と前記側壁面（８ａ）との境界部分（７８）は、外側に凸の湾曲面である、請求項１〜６の何れか１項に記載の天井設置型室内機。
【発明の詳細な説明】
【技術分野】
【０００１】
本発明は、天井に設置される空気調和装置の室内機に関する。
【背景技術】
【０００２】
従来、天井の開口に埋め込まれて設置される天井設置型室内機が知られている（例えば特許文献１）。平面視で矩形状の下面パネル（化粧パネル）の中央には、室内の空気をケース内に吸い込むための吸込口が設けられている。また、下面パネルにおける吸込口の周りには、ケース内の熱交換器において冷媒と熱交換した空気を室内に吹き出すための４つの吹出流路が設けられている。各吹出流路は、下面パネルの縁部に沿って延びる細長い形状を有する。各吹出流路の下部には室内に開口する吹出口が設けられている。各吹出流路の上方には、熱交換器において冷媒と熱交換した空気を吹出流路に向けて下方に案内するための案内流路が設けられている。
【先行技術文献】
【特許文献】
【０００３】
【特許文献１】特開２０１２−９７９５８号公報
【発明の概要】
【発明が解決しようとする課題】
【０００４】
ところで、ケース内には、熱交換器、送風機、ドレンパン、ドレンポンプ、配管などの多くの構成部品が収容されているので、ドレンポンプや配管は、他の構成部品が配置されていない限られた空間、具体的にはケース内の角部の空間に配置される。その一方で、下面パネルの４つの吹出口は、デザイン性を考慮してほぼ同じ大きさに形成されるので、次のような問題が生じることがある。
【０００５】
すなわち、ケース内の４つの角部のうちの１つの角部には、ドレンポンプなどの構成部品が配置されるので、この角部に隣接する案内流路は、構成部品が配置されるスペースの分だけ長手方向のサイズが他の案内流路に比べて小さくなる。したがって、当該案内流路の長手方向の大きさは、その下方に位置する吹出流路の長手方向の大きさよりも小さくなる。その結果、当該吹出流路は、案内流路の直下に位置する部分（主流路）と、案内流路の直下に位置していない部分、すなわち、主流路に隣接し、案内流路よりも長手方向の外側に延出する部分（延出流路）とを含むことになる。
【０００６】
このような構成の場合、案内流路を下方に流れる空気は、その直下の主流路にはスムーズに流れ込む一方で、延出流路には流れ込みにくい。特に、吹出流路に設けられる風向き調節用のフラップが下吹き状態に配置されるときには、フラップによる空気の流通抵抗が小さくなるので、空気は延出流路にさらに流れ込みにくくなる。
【０００７】
その結果、吹出流路の延出流路から室内に吹き出される空気が少なくなるので、室内の空気が逆流して延出流路に流れ込みやすくなる。このような逆流が生じると、延出流路の近傍において結露が生じることがある。
【０００８】
本発明の目的は、ケース内の角部にドレンポンプなどの構成部品が設置される天井設置型室内機において、室内の空気が逆流して吹出流路の延出流路に流れ込むのを抑制することである。
【課題を解決するための手段】
【０００９】
（１）本発明の天井設置型室内機は、吹出部（５）と、案内部（８）と、整流手段（４）とを備える。前記吹出部（５）は、水平方向に長い吹出流路（５０）を形成している。吹出部（５）は、下部に吹出口（５１）を有する。前記案内部（８）は、前記吹出流路（５０）に空気を案内するために前記吹出流路（５０）の上方において前記吹出流路（５０）の長手方向に沿った案内流路（８０）を形成している。前記案内流路（８０）の前記長手方向の長さは、前記吹出流路（５０）の前記長手方向の長さよりも小さい。前記吹出流路（５０）は、主流路（６０）と、延出流路（７０）とを含む。前記主流路（６０）は、前記案内流路（８０）の直下に位置している。前記延出流路（７０）は、前記主流路（６０）に隣接し、前記案内流路（８０）よりも前記長手方向の外側に延出している。前記整流手段（４）は、前記吹出口（５１）に向かって下方に流れる空気の一部を前記延出流路（７０）に案内する湾曲部（４２）を含む。
【００１０】
この構成では、案内流路（８０）を流れる空気は、その直下に位置する吹出流路（５０）の主流路（６０）に案内されるだけでなく、上記した整流手段（４）の湾曲部（４２）によって延出流路（７０）にも案内される。したがって、ケース内の角部にドレンポンプなどの構成部品が設置されることに起因して空気の流れ込みにくい延出流路（７０）が形成されている場合であっても、室内の空気が延出流路（７０）に逆流するのを抑制することができる。これにより、延出流路（７０）の近傍において結露が生じるのを抑制できる。
【００１１】
（２）前記天井設置型室内機において、前記整流手段（４）は、前記湾曲部（４２）によって案内された空気を前記延出流路（７０）の延出方向端部側に案内する平板部（４１）をさらに含むのが好ましい。
【００１２】
この構成では、整流手段（４）が平板部（４１）をさらに含むので、湾曲部（４２）によって案内された空気を平板部（４１）によって延出流路（７０）の延出方向端部側にさらに案内することができる。これにより、延出流路（７０）の延出方向端部側においても室内の空気が逆流するのを抑制できる。
【００１３】
（３）前記天井設置型室内機において、前記吹出部（５）は、前記延出流路（７０）の側部を区画する側壁面（５ｂ，５ｃ）を有し、前記吹出部（５）の前記側壁面（５ｂ，５ｃ）と前記平板部（４１）との間には、前記延出流路（７０）に案内された空気を下方に流す隙間（Ｇ１，Ｇ２）が設けられているのが好ましい。
【００１４】
この構成では、延出流路（７０）において平板部（４１）に沿って案内される空気は、延出流路（７０）の延出方向端部側に案内されるとともに、隙間（Ｇ１，Ｇ２）を通じて下方に流れて吹出口（５１）から室内に吹き出される。
【００１５】
（４）前記天井設置型室内機において、前記平板部（４１）は、前記延出流路（７０）に案内された空気を下方に流す貫通孔（４１Ｈ）を有していてもよい。
【００１６】
この構成では、延出流路（７０）において平板部（４１）に沿って案内される空気は、延出流路（７０）の延出方向端部側に案内されるとともに、貫通孔（４１Ｈ）を通じて下方に流れて吹出口（５１）から室内に吹き出される。
【００１７】
（５）前記天井設置型室内機において、前記平板部（４１）と前記湾曲部（４２）が一体に形成されている場合には、部品点数が増加するのを抑制でき、また、室内機の製造時において整流手段（４）の取り付け作業が煩雑になるのを抑制できる。
【００１８】
（６）前記天井設置型室内機において、前記平板部（４１）と前記湾曲部（４２）は互いに別体の部材によって構成されている場合には、湾曲部（４２）を平板部（４１）から離れた位置に設けることができる。したがって、湾曲部（４２）を、例えば吹き出し気流が集まりやすい場所に配置することができる。吹き出し気流が集まりやすい場所としては、例えば案内流路（８０）の長手方向の中央及びその近傍などが例示できる。また、この構成では、湾曲部（４２）を平板部（４１）から離れた位置に設けることができるので、整流手段（４）によって塞がれる吹出流路（５０）の断面積を小さくすることができる。これにより、吹出流路（５０）から吹き出される空気の抵抗が大きくなるのを抑制することができる。
【００１９】
（７）前記天井設置型室内機において、前記吹出部（５）は、前記延出流路（７０）の上部を区画する上壁面（７ａ）を有し、前記案内部（８）は、前記案内流路（８）における前記延出流路（７）側の側部を区画する側壁面（８ａ）を有し、前記上壁面（７ａ）と前記側壁面（８ａ）との境界部分（７８）は、外側に凸の湾曲面であるのが好ましい。
【００２０】
この構成では、境界部分（７８）が外側に凸の湾曲面であるので、境界部分（７８）が平面と平面（例えば水平面と鉛直面）のそれぞれの縁がつながって構成される場合に比べて、境界部分（７８）の近傍を流れる空気が湾曲面に沿って延出流路（７０）側に流れやすくなる。これにより、延出流路（７０）に流れ込む空気の量がさらに増加する。
【発明の効果】
【００２１】
以上説明したように、本発明によれば、ケース内の角部にドレンポンプなどの構成部品が設置される天井設置型室内機において、室内の空気が逆流して吹出流路の延出流路に流れ込むのを抑制することができる。
【図面の簡単な説明】
【００２２】
【図１】本発明の実施形態に係る天井設置型室内機を示す斜視図である。
【図２】前記天井設置型室内機を示す断面図である。
【図３】（Ａ），（Ｂ）は、前記天井設置型室内機の要部の一部を破断させた斜視図であり、（Ａ）は、斜め上方から見たときの図であり、（Ｂ）は、斜め下方から見たときの図である。
【図４】前記天井設置型室内機のドレンパン及びドレンポンプを示す斜視図である。
【図５】（Ａ）は、ドレンポンプが配置された角部と、吹出流路及び案内流路との位置関係を示す概略平面図であり、（Ｂ）は、吹出流路の延出流路と整流手段とを示す概略平面図である。
【図６】第１実施形態の天井設置型室内機を示す図であり、図２のＶＩ−ＶＩ線における断面図である。
【図７】第１実施形態における熱交換器１３、案内流路及び吹出流路と、整流手段との位置関係を示す斜視図である。
【図８】本発明の第２実施形態に係る天井設置型室内機を示す図であり、図２のＶＩ−ＶＩ線における断面図である。
【図９】第２実施形態における熱交換器１３、案内流路及び吹出流路と、整流手段との位置関係を示す斜視図である。
【図１０】（Ａ）〜（Ｅ）は、第１実施形態及び第２実施形態の天井設置型室内機の変形例を示す概略断面図である。
【発明を実施するための形態】
【００２３】
以下、本発明の実施形態に係る天井設置型室内機１について図面を参照して説明する。
【００２４】
＜天井設置型室内機の全体構造＞
図１及び図２に示すように、天井設置型室内機１は、天井７１に埋め込まれるカセット室内機である。この室内機１は、天井７１に設けられた開口に埋め込まれる室内機本体２と、室内機本体２の下部に取り付けられた下面パネル（化粧パネル）３とを備える。
【００２５】
室内機本体２は、ターボファンなどの送風機１１、熱交換器１３、ドレンパン１４、ベルマウス１７、ドレンポンプ２５（図４参照）などの複数の構成部品と、これらの構成部品を収容するケース１０とを備える。
【００２６】
ケース１０は、天板１０ａと、側板１０ｂとを有する箱状の部材である。ケース１０の下部は開口しており、この開口部は、下面パネル３によって塞がれている。ケース１０は、平面視で多角形状を呈しているが、これに限られない。本実施形態では、ケース１０は、平面視で矩形の四隅が面取りされたような八角形状であるが、これに限られず、例えば正方形や長方形などの四角形状などであってもよい。ケース１０内の４つの角部Ｃ１〜Ｃ４のうちの一つの角部Ｃ１（図１，図４参照）にドレンポンプ２５などの構成部品が配置されている。
【００２７】
図２に示すように、送風機１１は、羽根車１６とファンモータ１２とを備える。ファンモータ１２は、室内機本体２の天板１０ａの略中央に固定されている。羽根車１６は、ハブ１９と、シュラウド２０と、複数のファンブレード２１とを含む。ハブ１９は、ファンモータ１２のシャフトの下端部に固定されている。シュラウド２０は、ハブ１９の下方に配置されている。複数のファンブレード２１は、ハブ１９とシュラウド２０との間において羽根車１６の回転方向に沿って所定の間隔をあけて配列されている。ベルマウス１７は、羽根車１６に空気を案内する。
【００２８】
熱交換器１３は、冷房運転時には冷媒の蒸発器として機能し、暖房運転時には冷媒の凝縮器として機能する。熱交換器１３は、室内機本体２内に吸い込まれる室内の空気と冷媒との熱交換を行う。熱交換器１３は、冷房運転時には室内の空気を冷却し、暖房運転時には室内の空気を暖める。熱交換器１３としては、例えばフィンアンドチューブ型熱交換器を例示できるが、これに限られない。
【００２９】
図２及び図３（Ａ），（Ｂ）に示すように、熱交換器１３は、厚み（本実施形態では水平方向の寸法）の小さな扁平な形状を有している。熱交換器１３は、ドレンパン１４から上方に起立した状態で送風機１１の周囲を囲むように配置されている。
【００３０】
ドレンパン１４は、熱交換器１３において生じる水滴を収容する。ドレンパン１４は、断熱材によって形成されている。断熱材としては、例えば発泡ポリスチレンなどの発泡プラスチックを例示することができるが、これに限られない。図２及び図３（Ａ），（Ｂ）に示すように、ドレンパン１４は、熱交換器１３の下端部に沿って設けられた皿形状を有する。
【００３１】
図２、図３（Ａ），（Ｂ）及び図４に示すように、ドレンパン１４は、熱交換器１３の下端部に対して上下方向に対向する底壁１４０と、底壁１４０における内側の側端部から上方に延びる第１側壁１４１と、底壁１４０における外側の側端部から上方に延びる第２側壁１４２とを含む。主に底壁１４０の上面、第１側壁１４１の側面及び第２側壁１４２の側面によって形成される凹部がドレン水の収容空間として機能する。ドレンパン１４のより詳細な構造については後述する。
【００３２】
ドレンポンプ２５は、ドレンパン１４内に収容されたドレン水を室内機１の外に排出する。ドレンポンプ２５は、ケース１０内において何れか１つの角部に配置されている。図４に示す本実施形態では、ドレンポンプ２５は、ケース１０内の角部Ｃ１（ドレンパン１４の角部Ｃ１）に設けられている。ドレンポンプ２５の配置については後述する。
【００３３】
下面パネル３は、平面視の形状が室内機本体２よりも一回り大きく、天井７１の開口を覆った状態で室内に露出している。本実施形態の下面パネル３は、平面視で略矩形状であるが、これに限られない。下面パネル３は、室内の空気をケース１０内に吸い込む吸込口９１を有する。本実施形態では、吸込口９１は例えば矩形状を有し、下面パネル３の中央部に設けられているが、これに限られない。吸込口９１には、図略のグリルが設けられている。
【００３４】
また、下面パネル３は、熱交換器１３において冷媒と熱交換した空気を室内に吹き出す吹出流路５０を形成する吹出部５を有する。下面パネル３は１つ又は複数の吹出部５を有する。吹出部５の数は、特に限定されないが、本実施形態では、４つの吹出部５が下面パネル３に設けられている。４つの吹出部５は、吸込口９１の周りを囲むように設けられている。４つの吹出部５は、下面パネル３の４つの外縁に沿って設けられている。各吹出部５の下部には、室内に開口する吹出口５１が形成されている。吹出流路５０及び吹出口５１は、下面パネル３の対応する外縁に平行な方向に延びる細長い形状を有する。
【００３５】
吹出部５の吹出流路５０には、室内への空気の吹き出し方向を調節するフラップ２２が設けられている。フラップ２２は、吹出流路５０の長手方向の寸法とほぼ同じ大きさ、又は吹出流路５０の長手方向の寸法よりも少し小さい大きさを有する細長い形状である。各フラップ２２は、その長手方向が対応する吹出流路５０の長手方向に平行となるように配置されている。
【００３６】
各フラップ２２は、図略の羽根モータによって、下吹き状態と水平吹き状態との間で角度が調節される。下吹き状態は、フラップ２２の可動範囲のうちで、吹出流路５０から吹き出される気流の向きが鉛直方向に最も近くなる状態であり、水平吹き状態は、フラップ２２の可動範囲のうちで、吹出流路５０から吹き出される気流の向きが水平方向に最も近くなる状態である。
【００３７】
下面パネル３は、化粧面を構成する化粧板３１と、化粧板３１の内側（上側）に設けられた枠部材とを有する。枠部材は、内枠部５２と、下面パネル３の周縁部を構成する外枠部５３とを含む。内枠部５２は、底面視で吸込口９１と吹出流路５０との間に設けられている。内枠部５２は、中央に開口（吸込口９１）が形成されている。内枠部５２は、底面視で環形状を呈する。外枠部５３は、底面視で吹出流路５０の外側に設けられており、下面パネル３の外周縁を含む。外枠部５３は、底面視で環形状を呈する。内枠部５２及び外枠部５３を含む枠部材は、上述したような断熱材によって形成されている。
【００３８】
吸込口９１とベルマウス１７との間には、エアフィルタ１５が設けられている。エアフィルタ１５は、吸込口９１から吸入される空気中の塵埃を除去する。エアフィルタ１５は、ベルマウス１７の下端部の入口を覆う大きさを有する。図２に示す本実施形態では、エアフィルタ１５は波形状を有するがこれに限られない。
【００３９】
ファンモータ１２によって羽根車１６が回転すると、図２及び図３（Ａ），（Ｂ）において一点鎖線の矢印Ｆで示すように、室内の空気が吸込口９１から室内機１の内部に吸い込まれる。吸込口９１から吸い込まれた空気は、ベルマウス１７によって羽根車１６に案内され、熱交換器１３に送られる。熱交換器１３において冷媒と熱交換した空気は、上流側案内流路９０、案内流路８０及び吹出流路５０の順に下方に流れ、吹出口５１からから室内に吹き出される。吹き出される空気は、フラップ２２によって吹出方向が調節される。
【００４０】
なお、上流側案内流路９０は、案内流路８０よりも気流方向の上流側に位置して案内流路８０に空気を案内する流路である。本実施形態では、上流側案内流路９０は、熱交換器１３とケース１０内の内側面（本実施形態では、側板１０ｂの内面に設けられた断熱材１８の内側面）との隙間によって構成されているが、これに限られない。
【００４１】
＜本実施形態の特徴＞
次に、本実施形態の特徴について説明する。図５（Ａ）に示すように、本実施形態の室内機１では、角部Ｃ１に配置されているドレンポンプ２５に隣接する案内部８Ａの案内流路８０における長手方向の長さは、その下方の吹出部５Ａの吹出流路５０における長手方向の長さよりも小さい。
【００４２】
そして、本実施形態の室内機１は、整流手段としての整流板４を備えることを特徴としている。ケース１０内の角部Ｃ１にドレンポンプ２５が設置されることに起因して吹出部５Ａの吹出流路５０の端部、すなわちドレンポンプ２５の直下に位置する後述の延出流路７０に空気が流れ込みにくくなるという課題を解決するために、本実施形態では、整流板４が設けられている。これにより、室内の空気が逆流して吹出部５Ａの延出流路７０に流れ込むのを抑制することができる。以下、本実施形態の特徴について具体的に説明する。
【００４３】
（案内部）
各案内部８は、複数の壁面を有し、これらの壁面によって案内流路８０を形成している。各案内流路８０は、吹出部５の吹出流路５０に空気を案内するために吹出流路５０の上方において吹出流路５０の長手方向に沿って延びる空間である。
【００４４】
本実施形態では、各案内流路８０を形成する複数の壁面は、ドレンパン１４の一部分によって構成されている。具体的には次の通りである。なお、前記複数の壁面は、ドレンパン１４とは別の部材によって構成されていてもよい。
【００４５】
図２〜図５（Ａ）に示すように、ドレンパン１４は、第３側壁１４３をさらに有する。第３側壁１４３は、第２側壁１４２に対して隙間をあけて水平方向外側に設けられている。また、ドレンパン１４は、第２側壁１４２と第３側壁１４３とをつなぐ一対の端壁１４４，１４５をさらに有する。これらの端壁１４４，１４５は、案内流路８０の長手方向に互いに対向する位置に間隔をあけて設けられている。一方の端壁１４４は、第２側壁１４２における長手方向一方側の端部と、第３側壁１４３における長手方向一方側の端部とを接続している。他方の端壁１４５は、第２側壁１４２における長手方向他方側の端部と、第３側壁１４３における長手方向他方側の端部とを接続している。
【００４６】
各案内流路８０は、第２側壁１４２の側壁面（第２側壁１４２における第３側壁１４３側の側壁面）と、第３側壁１４３の側壁面（第３側壁１４３における第２側壁１４２側の側壁面）と、一方の端壁１４４の側壁面８ａ（端壁１４４における端壁１４５側の側壁面）と、他方の端壁１４５の側壁面（端壁１４５における端壁１４４側の側壁面）とによって形成されている。
【００４７】
第２側壁１４２の側壁面及び第３側壁１４３の側壁面のそれぞれは、案内流路８０の長手方向に帯状に延びる面であって、上下方向の寸法よりも長手方向の寸法の方が大きい。一方の端壁１４４の側壁面８ａは、第２側壁１４２の側壁面における長手方向一方側の縁部と、第３側壁１４３の側壁面における長手方向一方側の縁部とを接続している。他方の端壁１４５の側壁面は、第２側壁１４２の側壁面における長手方向他方側の縁部と、第３側壁１４３の側壁面における長手方向他方側の縁部とを接続している。
【００４８】
各案内流路８０は、上流側案内流路９０と吹出流路５０との間に設けられており、上流側案内流路９０を流れる空気を吹出流路５０に案内する。ドレンポンプ２５を配置する角部Ｃ１に隣接する位置に設けられた案内部８Ａの案内流路８０の長さは、他の案内部８の案内流路８０の長さよりも小さい。
【００４９】
（吹出部）
各吹出部５は、複数の壁面を有し、これらの壁面によって吹出流路５０を形成している。各吹出流路５０は、室内に空気を案内するために案内流路８０の下方において案内流路８０の長手方向に沿って延びる空間である。
【００５０】
本実施形態では、各吹出流路５０を形成する複数の壁面は、下面パネル３の内枠部５２と外枠部５３の一部分によって構成されている。具体的には次の通りである。なお、各吹出流路５０を形成する複数の壁面は、内枠部５２及び外枠部５３とは別の部材によって構成されていてもよい。
【００５１】
図２に示すように、内枠部５２と外枠部５３とは、各吹出流路５０を介して水平方向に間隔をあけて設けられている。また、内枠部５２と外枠部５３とは、各吹出流路５０の長手方向の両端部においては連続している。すなわち、内枠部５２及び外枠部５３を含む枠部材には、各吹出流路５０に対応する部位に上下方向に貫通する貫通孔が設けられている。この貫通孔は、内枠部５２と、外枠部５３と、内枠部５２と外枠部５３をつなぐ一対の端壁５４，５５とによって形成されている。これらの端壁５４，５５は、吹出流路５０の長手方向に互いに対向する位置に間隔をあけて設けられている。
【００５２】
したがって、各吹出流路５０は、内枠部５２の側壁面５ｂ（外枠部５３側に向いた側壁面）と、外枠部５３の側壁面５ｃ（内枠部５２側に向いた側壁面）と、長手方向一方側の端壁５４の側壁面（端壁５５側に向いた側壁面）と、長手方向他方側の端壁５５の側壁面（端壁５４側に向いた側壁面）とによって形成されている。
【００５３】
内枠部５２の側壁面５ｂ及び外枠部５３の側壁面５ｃのそれぞれは、吹出流路５０の長手方向に帯状に延びる面であって、上下方向の寸法よりも水平方向の寸法の方が大きい。一方の端壁５４の側壁面は、内枠部５２の側壁面における長手方向一方側の縁部と、外枠部５３の側壁面における長手方向一方側の縁部とを接続している。他方の端壁５５の側壁面は、内枠部５２の側壁面５ｂにおける長手方向他方側の縁部と、外枠部５３の側壁面５ｃにおける長手方向他方側の縁部とを接続している。本実施形態では、４つの吹出流路５０の長手方向の長さは同じ大きさとされている。
【００５４】
図５〜図７に示すように、４つの吹出部５のうちの１つの吹出部５Ａの吹出流路５０は、ドレンポンプ２５を配置する角部Ｃ１に隣接する位置に設けられた案内流路８０の下方に位置している。吹出部５Ａの吹出流路５０は、主流路６０と、延出流路７０とを含む。主流路６０は、案内部８Ａの案内流路８０の直下に位置している。延出流路７０は、案内部８Ａの案内流路８０よりも案内流路８０の長手方向の外側に主流路６０から延出している。延出流路７０の延出方向は、吹出流路５０の長手方向に平行である。延出流路７０の上方には案内流路８０は存在していない。
【００５５】
吹出流路５０のうちで主流路６０が占める割合は、延出流路７０が占める割合よりも大きい。具体的に、主流路６０の長手方向の長さは、延出流路７０の長手方向の長さよりも大きい。延出流路７０は、吹出流路５０の長手方向の一端部（角部Ｃ１側の端部）に位置している。
【００５６】
図６に示すように、ドレンパン１４は、角部Ｃ１においてドレンポンプ２５などの構成部品の下に設けられた構成部品配置部１４６をさらに有する。本実施形態では、構成部品配置部１４６の一端部は、端壁１４４の下端部に接続されている。構成部品配置部１４６は、ドレンポンプ２５などの構成部品に対して上下方向に対向する上面と、下面とを有する。構成部品配置部１４６の下面は、延出流路７０の上部を区画する上壁面７ａとして機能する。なお、延出流路７０の上部を区画する上壁面７ａは、必ずしも構成部品配置部１４６の下面によって構成されていなくてもよく、構成部品配置部１４６とは別に設けられた図略の部材の下面によって構成されていてもよい。
【００５７】
主流路６０は、内枠部５２の側壁面５ｂにおける端壁５５側の一部と、外枠部５３の側壁面５ｃにおける端壁５５側の一部と、端壁５５の側壁面とによって形成されている。延出流路７０は、上壁面７ａと、内枠部５２の側壁面５ｂにおける端壁５４側の一部と、外枠部５３の側壁面５ｃにおける端壁５４側の一部と、端壁５４の側壁面とによって形成されている。
【００５８】
（整流手段）
整流手段としての整流板４は、平板部４１と、湾曲部４２とを含み、図６及び図７に示す第１実施形態では、これらの平板部４１と湾曲部４２は一体に形成されている。整流板４は、例えば吹出流路５０を形成する壁面、案内流路８０を形成する壁面などに取り付けることができる。
【００５９】
平板部４１は、少なくとも一部分が延出流路７０に配置されており、延出流路７０において前記長手方向に沿って延びている。平板部４１は、空気を延出流路７０の延出方向端部側に案内する上面４１ａを有する。延出流路７０の延出方向端部側とは、延出流路７０の先端側であって、例えば図６において延出流路７０の左端側である。平板部４１は、上面４１ａに沿って延出流路７０に案内される空気が下方に流れることが可能なように設けられている。湾曲部４２は、空気を延出流路７０に案内する湾曲した上面４２ａを有する。湾曲部４２の上面４２ａは、空気を平板部４１に案内する。
【００６０】
図６に一点鎖線の矢印Ｆで示すように、案内流路８０を下方に流れる空気の一部は、湾曲部４２の上面４２ａと境界部分７８との間の隙間を通って平板部の上面４１ａに流れ込む。そして、延出流路７０において平板部４１の上面４１ａに沿って案内される空気は、平板部４１の下方に案内されて吹出口５１から室内に吹き出される。また、案内流路８０を下方に流れる空気の他の一部は、平板部の下面に沿って延出流路７０に流れ込み、吹出口５１から室内に吹き出される。
【００６１】
具体的に、第１実施形態では、平板部４１は、平面視で矩形状をなす平板状の部位である。平板部４１の上面４１ａは、平面であり、本実施形態では水平面に対して平行であるが、これに限られず、水平面に対して傾斜していてもよい。また、平板部４１の下面は、上面４１ａに平行な平面であるが、これに限られず、上面４１ａに対して傾斜していてもよい。
【００６２】
平板部４１は、吹出流路５０の長手方向に平行な方向の寸法が前記長手方向に直交する幅方向の寸法よりも大きい形状を有する。図６及び図７に示すように、平板部４１は、延出流路７０の先端側（端壁５４側）に位置する先端縁４１１と、平板部４１と湾曲部４２の境界部である基端縁４１２と、吹出流路５０の長手方向に沿って延びる内側縁４１３及び外側縁４１４とを有する。内側縁４１３は、平面視で熱交換器１３側に位置しており、外側縁４１４は、平面視でケース１０の側板１０ｂ側に位置している。
【００６３】
第１実施形態では、平板部４１の大半の部分は、延出流路７０に位置しており、平板部４１の湾曲部４２側の一部分は、主流路６０に位置している。言い換えると、平板部４１の基端縁４１２は、図６に示すように、案内流路８０の端壁１４４の側面よりも端壁１４５側に位置している。これにより、平板部４１の上面４１ａは、案内流路８０を流れる空気をキャッチしやすくなる。ただし、平板部４１の全部が延出流路７０に位置していてもよい。
【００６４】
図６に示すように、平板部４１の高さ方向の位置Ｈ２は、延出流路７０の高さ方向の中央よりも上方に位置している。すなわち、平板部４１の高さ方向の位置Ｈ２は、下面パネル３の下端位置Ｈ１よりも延出流路７０の上部を区画する上壁面７ａの位置Ｈ３に近い。ただし、平板部４１の高さ方向の位置Ｈ２は、図６に示す位置に限られず、例えば延出流路７０の高さ方向の中央に位置していてもよく、延出流路７０の高さ方向の中央よりも下方に位置していてもよい。
【００６５】
湾曲部４２は、平板部４１の基端縁４１２から滑らかに湾曲しながら案内流路８０側に延びる板状の部位である。湾曲部４２の上面４２ａは、平板部４１側に向かうにつれて下方に位置するように湾曲している。湾曲部４２の上面４２ａは、斜め下側に凹む凹曲面である。湾曲部４２の下面は、斜め下方に凸の凸曲面である。
【００６６】
図６において湾曲部４２は、吹出流路５０の主流路６０に設けられている場合を例示しているが、これに限られない。湾曲部４２は、その上端縁４２１が案内流路８０に位置するように案内流路８０側にさらに延びて主流路６０と案内流路８０の両方に存在するように設けられていてもよい。
【００６７】
第１実施形態における整流板４では、整流板４の厚みは全体的にほぼ均一であり、平板部４１の厚みと湾曲部４２の厚みは、ほぼ同じであるが、これに限られない。
【００６８】
図５（Ｂ）に示すように、平板部４１の側縁４１３と吹出部５の側壁面５ｂとの間には隙間Ｇ１が設けられており、平板部４１の側縁４１４と吹出部５の側壁面５ｃとの間には隙間Ｇ２が設けられている。本実施形態では、隙間Ｇ２は、隙間Ｇ１よりも大きいが、これに限られない。隙間Ｇ（Ｇ１，Ｇ２）は、延出流路７０において平板部４１の上面４１ａに沿って案内される空気を下方に流す機能を有する。また、隙間Ｇ１及び隙間Ｇ２のうちの一方を省略することもできる。
【００６９】
また、図５（Ｂ）に示すように、平板部４１は、延出流路７０において平板部４１の上面４１ａに沿って案内される空気を下方に流す１つ又は複数の貫通孔４１Ｈを有する。図５（Ｂ）に示す第１実施形態では、平板部４１に複数の貫通孔４１Ｈ（具体的に３つの貫通孔４１Ｈ）が設けられている。
【００７０】
また、第１実施形態では、平板部４１において、内側縁４１３側（平面視で熱交換器１３側）に設けられている貫通孔４１Ｈの開口面積は、外側縁４１４側（平面視でケース１０の側板１０ｂ側）に設けられている貫通孔４１Ｈの開口面積よりも大きい。上流側案内流路９０及び案内流路８０を通って下方に流れる空気は、平面視で熱交換器１３側よりもケース１０の側板１０ｂ側に多く集まりやすい（偏流しやすい）傾向にある。したがって、内側縁４１３側の貫通孔４１Ｈの開口面積を外側縁４１４側の貫通孔の開口面積よりも多くすることによって、延出流路７０から室内に吹き出される空気の偏流を抑制することができる。
【００７１】
本実施形態では、貫通孔４１Ｈの開口面積を上記のように調節する方法として、内側縁４１３側の貫通孔４１Ｈの個数を外側縁４１４側の貫通孔４１Ｈの個数よりも多くしているが、これに限られない。双方の個数を同じにして開口面積だけを異ならせてもよい。また、平板部４１に設ける貫通孔４１Ｈの数は、図５（Ｂ）に示す形態に限られない。例えば、内側縁４１３側の貫通孔４１Ｈの数を外側縁４１４側の貫通孔の数よりも少なくしてもよく、これらの数を同じにしてもよい。
【００７２】
また、第１実施形態では、平板部４１において、平板部４１の長手方向の中央よりも基端縁４１２側の領域に設けられている貫通孔４１Ｈの開口面積は、平板部４１の長手方向の中央よりも先端縁４１１側の領域に設けられている貫通孔４１Ｈの開口面積よりも大きいが、これに限られない。
【００７３】
＜第２実施形態＞
図８は、本発明の第２実施形態に係る天井設置型室内機１を示す図であり、図２のＶＩ−ＶＩ線における断面図である。図９は、第２実施形態における熱交換器１３、案内流路８０及び吹出流路５０と、整流手段との位置関係を示す斜視図である。第２実施形態は、整流手段における平板部４１と湾曲部４２が互いに別体の部材である点で、第１実施形態と異なっている。以下では、第１実施形態との相違点について説明し、第１実施形態と同様の構成については第１実施形態の図と同じ符号を付して説明を省略する。
【００７４】
図８及び図９に示すように、整流手段４は、平板部４１（第１整流板４１）と、湾曲部４２（第２整流板４２）とを含む。これらの平板部４１と湾曲部４２は互いに別体の部材である。平板部４１は、例えば吹出流路５０を形成する壁面などに取り付けることができ、湾曲部４２は、案内流路８０を形成する壁面などに取り付けることができる。
【００７５】
図８に一点鎖線の矢印Ｆで示すように、案内流路８０を下方に流れる空気の一部は、湾曲部４２の上面４２ａに案内されて主として平板部４１の上面４１ａに流れ込む。そして、延出流路７０において平板部４１の上面４１ａに沿って案内される空気は、平板部４１の下方に案内されて吹出口５１から室内に吹き出される。また、案内流路８０を下方に流れる空気の他の一部は、平板部４１の下面に沿って延出流路７０に流れ込み、吹出口５１から室内に吹き出される。
【００７６】
第２実施形態における平板部４１は、湾曲部４２とは別体の板状部材である点を除いて、第１実施形態における平板部４１の形態と同様の特徴を有するので、詳しい説明を省略する。
【００７７】
湾曲部４２は、平板部４１側に向かって滑らかに湾曲する板状部材である。湾曲部４２は、空気を平板部４１に案内する湾曲した上面４２ａを有する。湾曲部４２の上面４２ａは、平板部４１側に向かうにつれて下方に位置するように湾曲している。湾曲部４２の上面４２ａは、斜め下側に凹む凹曲面である。湾曲部４２の下面は、斜め下方に凸の凸曲面である。
【００７８】
湾曲部４２は、上端縁４２１と、上端縁４２１よりも下方で且つ平板部４１側に位置する下端縁４２２と、上端縁４２１と下端縁４２２をつなぐ内側縁４２３及び外側縁４２４とを有する。内側縁４２３は、平面視で熱交換器１３側に位置しており、外側縁４２４は、平面視でケース１０の側板１０ｂ側に位置している。
【００７９】
図８において湾曲部４２は、案内流路８０のみに設けられている場合を例示しているが、これに限られない。湾曲部４２の上端縁４２１が上流側案内流路９０に位置していてもよく、また、湾曲部の下端縁４２２が吹出流路５０の主流路６０に位置していてもよい。また、図８に示す第２実施形態では、湾曲部４２は、案内流路８０の長手方向の中央よりも平板部４１側に位置しているが、これに限られない。
【００８０】
＜変形例＞
上述した第１実施形態及び第２実施形態において、延出流路７０と案内流路８０の境界部分７８について説明する。図１０（Ａ）〜（Ｅ）は、第１実施形態及び第２実施形態の室内機１の変形例を示す概略断面図である。なお、図１０（Ａ）〜（Ｅ）では、整流手段の図示を省略しているが、実際には上述した第１実施形態及び第２実施形態と同様の位置に整流手段（整流板４）が設けられている。
【００８１】
図１０（Ａ）に示す変形例１では、延出流路７０の上部を区画する上壁面７ａと案内流路８０の延出流路７０側の側部を区画する端壁面（側壁面８ａ）との境界部分７８は、これらの壁面がほぼ垂直に交わる角形状を有する。すなわち、変形例１における境界部分７８は、略水平面である上壁面７ａと略鉛直面である端壁面（側壁面８ａ）のそれぞれの縁がつながって構成されている。
【００８２】
これに対し、図１０（Ｂ）〜（Ｅ）に示す変形例２〜５では、境界部分７８は、外側に凸（斜め下方に凸）の湾曲面である。境界部分７８が湾曲面である変形例２〜５は、変形例１に比べて、境界部分７８の近傍を流れる空気が湾曲面に沿って延出流路７０側に流れやすくなるので、延出流路７０に流れ込む空気の量がさらに増加する。
【００８３】
具体的に、図１０（Ｂ）に示す変形例２では、境界部分７８の湾曲面の曲率半径Ｒは２５ｍｍである。図１０（Ｃ）に示す変形例３では、境界部分７８の湾曲面の曲率半径Ｒは４５ｍｍである。図１０（Ｄ）に示す変形例４では、境界部分７８の湾曲面の曲率半径Ｒは９０ｍｍである。変形例２〜４では、湾曲面の断面は円弧状である。変形例５では、湾曲面の断面は楕円弧形状である。図１０（Ｅ）に示す変形例５では、楕円弧の水平方向の短半径Ｘ（例えば４５ｍｍ）と鉛直方向の長半径Ｙ（例えば９０ｍｍ）の比は１：２である。なお、図１０（Ａ）〜（Ｅ）に示す変形例は、第１実施形態及び第２実施形態の一例であって、室内機１は、これらに限られるものではない。
【００８４】
変形例２〜５では、変形例１に比べて、延出流路７０の先端側（端壁５４側）に空気が届きやすくなる。変形例２，３，５は、延出流路７０の先端側に空気を案内する効果に優れているが、変形例４のように曲率半径Ｒを大きくすると、フラップ２２の背面付近からの空気の逆流が生じる傾向にあり、変形例２，３，５に比べて延出流路７０の先端側に空気を案内する効果が小さい。
【００８５】
変形例５では、湾曲面が上記のような楕円弧形状であるので、変形例３に比べて、湾曲面に空気がさらに沿って流れやすくなる傾向にある。その結果、変形例５では、変形例２，３に比べて延出流路７０の先端側に空気を案内する効果が大きい。
【００８６】
また、境界部分７８の湾曲面の曲率半径Ｒが４５ｍｍを超えると、ドレンパン１４の端壁１４４の形状を大きく変形させる必要があり、これに伴って、例えば吹出流路５０の延出流路７０の大きさが拡大するなどのようにケース１０内の内部構造が大きく変わる。したがって、湾曲面の曲率半径Ｒは、４５ｍｍ以下であるのが好ましい。
【００８７】
境界部分７８の湾曲面の曲率半径Ｒは、特に限定されないが、例えば５ｍｍ以上４５ｍｍ以下であるのが好ましく、１０ｍｍ以上４０ｍｍ以下であるのがより好ましく、１５ｍｍ以上３０ｍｍ以下であるのがさらに好ましい。
【００８８】
＜実施形態のまとめ＞
以上説明したように、第１，第２実施形態及びこれらの変形例では、熱交換器１３から吹出流路５０に至るまでの空気流路に、延出流路７０に空気を案内する整流手段４を配置する。これにより、多くの吹出気流が集まる部位（例えば案内流路８０や吹出流路５０の長手方向の中央部など）を流れる空気を延出流路７０側に案内することができる。また、整流手段４の端部を湾曲形状にすることによって、より多くの吹出気流を延出流路７０側に引き込むことができる。
【００８９】
また、延出流路７０に整流手段４を設置することにより、吹出気流の流通抵抗が大きくなって延出流路７０の先端側（延出流路７０の延出方向側）へ気流が流れやすくなる。また、延出流路７０に整流手段４を設けることにより、整流手段４を設置しない場合に比べて延出流路７０における室内に開口する側の空間の容積が小さくなるので、フラップ２２の背面側における空気の逆流が抑制される。また、延出流路７０に整流手段４を設置することにより、整流手段４を設置しない場合に比べてフラップ２２の背面側において空気が逆流して延出流路７０の上部に抜ける空気の流れが生じるのが抑制される。
【００９０】
第１，第２実施形態及びこれらの変形例では、案内流路８０を流れる空気は、その直下に位置する吹出流路５０の主流路６０に案内されるだけでなく、上記した整流手段４によって延出流路７０にも案内される。したがって、ケース１０内の角部にドレンポンプ２５などの構成部品が設置されることに起因して空気の流れ込みにくい延出流路７０が形成されている場合であっても、室内の空気が延出流路７０に逆流するのを抑制することができる。これにより、延出流路７０の近傍（例えばフラップ２２、吹出流路５０を形成する壁面など）において結露が生じるのを抑制できる。
【００９１】
すなわち、案内流路８０を流れる空気の一部は、案内流路８０及び主流路６０の少なくとも一方に設けられた湾曲部４２の湾曲した上面４２ａによって平板部４１に案内される。そして、平板部４１に案内された空気は、延出流路７０において平板部４１の上面４１ａに沿って延出流路７０の延出方向端部側に案内される。これにより、延出流路７０に流れ込む空気の量を増加させることができる。そして、延出流路７０において平板部４１の上面４１ａに沿って案内される空気は下方に流れて吹出口５１から室内に吹き出される。このように吹出流路５０では、主流路６０だけでなく延出流路７０においても下方に流れて吹出口５１から室内に吹き出される空気の流れが形成されるので、室内の空気が延出流路７０に逆流するのを抑制できる。
【００９２】
第１，第２実施形態及びこれらの変形例１〜５では、平板部４１と、延出流路７０の側部を区画する側壁面との間には、延出流路７０において平板部４１の上面４１ａに沿って案内される空気を下方に流す隙間Ｇ（Ｇ１，Ｇ２）が設けられている。したがって、延出流路７０に案内された空気は、延出流路７０の延出方向端部側に案内されるとともに、隙間Ｇを通じて下方に流れて吹出口５１から室内に吹き出される。
【００９３】
第１，第２実施形態及びこれらの変形例１〜５では、平板部４１は、延出流路７０において平板部４１の上面４１ａに沿って案内される空気を下方に流す貫通孔４１Ｈを有している。したがって、延出流路７０に案内された空気は、延出流路７０の延出方向端部側に案内されるとともに、貫通孔４１Ｈを通じて下方に流れて吹出口５１から室内に吹き出される。
【００９４】
第１実施形態及びその変形例１〜５では、平板部４１と湾曲部４２が一体に形成されている。したがって、部品点数が増加するのを抑制でき、また、室内機１の製造時において整流手段４の取り付け作業が煩雑になるのを抑制できる。
【００９５】
第２実施形態及びその変形例１〜５では、平板部４１と湾曲部４２は互いに別体の部材によって構成されている。したがって、湾曲部４２を平板部４１から離れた位置に設けることができるので、湾曲部４２を、例えば吹き出し気流が集まりやすい場所に配置することができる。吹き出し気流が集まりやすい場所としては、例えば案内流路８０の長手方向の中央及びその近傍などが例示できる。また、この構成では、湾曲部４２を平板部４１から離れた位置に設けることができるので、整流手段４によって塞がれる吹出流路５０の断面積を小さくすることができる。これにより、吹出流路５０から吹き出される空気の抵抗が大きくなるのを抑制することができる。
【００９６】
第１，第２実施形態及びこれらの変形例２〜５では、延出流路７０の上部を区画する壁面と案内流路８０の延出流路７０側の側部を区画する壁面との境界部分７８は、外側に凸の湾曲面ある。したがって、変形例２〜５では、変形例１のように境界部分７８が平面と平面のそれぞれの縁がつながって構成される場合に比べて、境界部分７８の近傍を流れる空気が湾曲面に沿って延出流路７０側に流れやすくなる。これにより、延出流路７０に流れ込む空気の量がさらに増加する。
【００９７】
以上、本発明の実施形態について説明したが、本発明はこれらの実施形態に限定されるものではなく、その趣旨を逸脱しない範囲で種々変更、改良等が可能である。
【００９８】
例えば、前記実施形態では、隙間Ｇ及び貫通孔４１Ｈの両方が設けられている場合を例示したが、これに限られない。例えば隙間Ｇ及び貫通孔４１Ｈの一方のみを設ける形態であってもよい。また、隙間Ｇ及び貫通孔４１Ｈの両方を省略して、上面４１ａに沿って延出流路７０に案内された空気が下方に流れることが可能な別の手段を採用することもできる。
【００９９】
前記実施形態では、４つの吹出部５のうちの１つの吹出部５Ａに整流手段４を設ける場合を例示したが、これに限られない。２つ以上の吹出部５Ａに整流手段４を設けてもよい。
【０１００】
前記実施形態では、整流手段４が湾曲部４１と平板部４２とを備える場合を例示したが、これに限られない。整流手段４は、平板部４２を備えていなくてもよく、湾曲部４２のみからなる形態であってもよい。この場合、湾曲部４２は、例えば案内流路８０や吹出流路５０を形成する壁面などに取り付けられる。
【符号の説明】
【０１０１】
１  天井設置型室内機
２  室内機本体
３  下面パネル
４  整流手段
５  吹出部
５ｂ  側壁面
５ｃ  側壁面
７ａ  上壁面
８  案内部
８ａ  側壁面
１０  ケース
２２  フラップ
２５  ドレンポンプ
４１  平板部
４１Ｈ  貫通孔
４１ａ  上面
４２  湾曲部
４２ａ  上面
５０  吹出流路
６０  主流路
７０  延出流路
７８  境界部分
８０  案内流路
９０  上流側案内流路
１４６  構成部品配置部
Ｃ１  角部
Ｇ１  隙間
Ｇ２  隙間
【図１】
2014129929.tif 000003
【図２】
2014129929.tif 000004
【図３】
2014129929.tif 000005
【図４】
2014129929.tif 000006
【図５】
2014129929.tif 000007
【図６】
2014129929.tif 000008
【図７】
2014129929.tif 000009
【図８】
2014129929.tif 000010
【図９】
2014129929.tif 000011
【図１０】
2014129929.tif 000012